(57)【特許請求の範囲】
【請求項１】
ワイヤレス同期のための方法であって、
ネットワークからの同期情報を受信することから分離されたモバイルデバイスにおいて、信頼性アラームを前記信頼性アラームのために割り当てられたデバイス間（Ｄ２Ｄ）リソース上で同期されたモバイルデバイスから受信することと、ここにおいて、前記信頼性アラームは、同期信号が前記分離されたモバイルデバイスに近いことを示す、
前記信頼性アラームの信号強度がしきい値を超えることに少なくとも部分的に基づいて前記信頼性アラームを前記信頼性アラームのために割り当てられたリソース上で送信することと、
前記分離されたモバイルデバイスによって、前記信頼性アラームに少なくとも部分的に基づいて前記ネットワークと同期することと、
を備える、方法。
【請求項２】
前記ネットワークと同期することは、
同期リソース上で前記同期信号を受信することと、ここにおいて、前記同期リソースは、前記信頼性アラームに少なくとも部分的に基づいて利用可能にされる、
前記同期信号に少なくとも部分的に基づいて前記ネットワークと同期することと
を備える、請求項１に記載の方法。
【請求項３】
前記信頼性アラームを前記信頼性アラームのために割り当てられた前記Ｄ２Ｄリソース上で送信することをさらに備える、請求項１に記載の方法。
【請求項４】
前記信頼性アラームを送信することは、
前記モバイルデバイスが前記ネットワークと同期されていない間、ある数の同期期間にわたって前記信頼性アラームを送信することを備える、
請求項３に記載の方法。
【請求項５】
前記信頼性アラームを送信することは、
送信の確率に基づいて前記信頼性アラームを送信することを備える、
請求項４に記載の方法。
【請求項６】
前記信頼性アラームの前記信号強度が前記しきい値を超えると決定することをさらに備える、請求項１に記載の方法。
【請求項７】
ワイヤレス同期のためのモバイルデバイスであって、
ネットワークからの同期情報を受信することから分離された前記モバイルデバイスにおいて、信頼性アラームを前記信頼性アラームのために割り当てられたデバイス間（Ｄ２Ｄ）リソース上で同期されたモバイルデバイスから受信するための手段と、ここにおいて、前記信頼性アラームは、同期信号が前記分離されたモバイルデバイスに近いことを示す、
前記信頼性アラームの信号強度がしきい値を超えることに少なくとも部分的に基づいて前記信頼性アラームを前記信頼性アラームのために割り当てられたリソース上で送信するための手段と、
前記分離されたモバイルデバイスによって、前記信頼性アラームに少なくとも部分的に基づいて前記ネットワークと同期するための手段と
を備える、デバイス。
【請求項８】
前記ネットワークと同期するための前記手段は、
同期リソース上で前記同期信号を受信するための手段と、ここにおいて、前記同期リソースは、前記信頼性アラームに少なくとも部分的に基づいて利用可能にされる、
前記同期信号に少なくとも部分的に基づいて前記ネットワークと同期するための手段と
を備える、請求項７に記載のデバイス。
【請求項９】
前記信頼性アラームは、タイムオフセットおよびカウンタのうちの少なくとも１つを備えるアナログ信号を備える、請求項１に記載の方法、または請求項７に記載のデバイス。
【請求項１０】
前記信頼性アラームを前記信頼性アラームのために割り当てられた前記Ｄ２Ｄリソース上で送信するための手段をさらに備える、請求項７に記載のデバイス。
【請求項１１】
前記信頼性アラームを送信するための前記手段は、
前記モバイルデバイスが前記ネットワークと同期されていない間、ある数の同期期間にわたって前記信頼性アラームを送信するための手段を備える、
請求項１０に記載のデバイス。
【請求項１２】
前記信頼性アラームを送信するための前記手段は、
送信の確率に基づいて前記信頼性アラームを送信するための手段を備える、
請求項１１に記載のデバイス。
【請求項１３】
前記信頼性アラームの前記信号強度が前記しきい値を超えると決定するための手段をさらに備える、請求項７に記載のデバイス。
【請求項１４】
前記同期リソースは、前記信頼性アラームのために予約されていない前記Ｄ２Ｄリソースのうちの少なくともいくらかを備える、請求項２に記載の方法、または請求項８に記載のデバイス。
【請求項１５】
コンピュータ上で実行されたときに請求項１〜６のうちのいずれか一項に記載の方法を実行するための命令を備える、コンピュータプログラム。
【発明の詳細な説明】
【関連出願の相互参照】
【０００１】
[0001]  本願は、本願の譲受人に譲渡された、２０１４年５月２３日に出願された、「分散型デバイス間同期（Distributed Device-to-Device Synchronization）」と題する、Ａｂｅｄｉｎｉ他による米国特許出願番号第１４／２８６，３５４の優先権を主張する。
【背景技術】
【０００２】
[0002]  以下は、一般的には、ワイヤレス通信に関し、より具体的には、デバイス間（Ｄ２Ｄ：device-to-device）同期に関する。ワイヤレス通信システムは、音声、映像、パケットデータ、メッセージング、ブロードキャスト、等のような様々なタイプの通信コンテンツを提供するために広く展開されている。これらのシステムは、利用可能なシステムリソース（例えば、時間、周波数、および電力）を共有することによって複数のユーザとの通信をサポートすることができる多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００３】
[0003]  一般的に、ワイヤレス多元接続通信システムは、それぞれが複数のモバイルデバイスに関する通信を同時にサポートする多数の基地局を含み得る。基地局は、ダウンストリームおよびアップストリームリンク上でモバイルデバイスと通信し得る。各基地局は、セルのカバレッジエリアと称され得るカバレッジ範囲を有する。基地局は、カバレッジエリア内のデバイスに、同期のような様々なサービスを提供する。ネットワーク同期の範囲は、（カバレッジ内の）デバイスがまた、ネットワークタイミングに基づいて、同期信号をデバイス間通信のために割り当てられたいくつかのリソース上で送信する場合、さらに拡張されることができる。時には、コロケートされた（collocated）デバイスのクラスタ（clusters）が、残りのネットワークから分離した状態（isolated）になり得る。モバイルデバイス、またはモバイルデバイスのグループが通信ネットワークに関連付けられた全ての基地局の（拡張された）カバレッジエリアの外に移動した場合、モバイルデバイスはカバレッジを失い、結果として通信ネットワークによって提供されるサービスの損失を伴う。モバイルデバイスのグループは、互いにある程度の同期を維持し得るが、それらが分離した状態で時が経過するにつれて、ネットワークとの同期は信頼性に欠けるもの（unreliable）になり得る。モバイルデバイスのグループは、高密度な（dense）モバイルデバイスのシナリオにおいて利用可能なリソースの全てを使用し得る。その結果、これらモバイルデバイスは、たとえそれらが信頼できるネットワークタイミングで同期信号の範囲内に移動したとしても、これら占有されたリソース上で更なる同期信号を受信することはできず、依然として分離されたままであり得る。
【発明の概要】
【０００４】
[0004]  以下で説明されるのは、Ｄ２Ｄ同期を提供する方法、システム、およびデバイスである。信頼性アラーム（reliability alarm）は、モバイルデバイス間で使用され得、それは、特定のＤ２Ｄリソース上で送信および／または受信される。リソースは信頼性アラームのために予約されるので、ネットワーク同期から以前に分離されたモバイルデバイスは、信頼性アラームを受信することができる。アラームは、モバイルデバイスが信頼できるデバイスの範囲内に移動した場合、信頼できる同期信号が近いことを示し得る。いったん信頼性アラームが受信されると、モバイルデバイスは、それが信頼できるデバイスから同期信号を受信することができるよう、他のリソースをフリー（free）にし得る。モバイルデバイスは、その後、受信された同期信号に基づいてネットワークと同期し、後続の分離されたデバイスが使用することができるようにそれ自体の信頼性アラームを送信し得る。
【０００５】
[0005]  いくつかの実施形態において、ワイヤレス同期のための方法は、モバイルデバイスにおいて、信頼性アラームを信頼性アラームのために割り当てられたリソース上で受信することと、信頼性アラームに少なくとも部分的に基づいてネットワークと同期することとを含む。
【０００６】
[0006]  いくつかの実施形態において、ワイヤレス同期のための装置は、モバイルデバイスにおいて、信頼性アラームを信頼性アラームのために割り当てられたリソース上で受信するための手段と、信頼性アラームに少なくとも部分的に基づいてネットワークと同期するための手段とを含む。
【０００７】
[0007]  いくつかの実施形態において、ワイヤレス同期のための装置は、プロセッサと、プロセッサと電子通信状態にあるメモリと、メモリに記憶される命令とを含む。命令は、モバイルデバイスにおいて、信頼性アラームを信頼性アラームのために割り当てられたリソース上で受信し、信頼性アラームに少なくとも部分的に基づいてネットワークと同期するようにプロセッサによって実行可能であり得る。
【０００８】
[0008]  いくつかの実施形態において、ワイヤレス同期のためのコンピュータプログラム製品は、モバイルデバイスにおいて、信頼性アラームを信頼性アラームのために割り当てられたリソース上で受信し、信頼性アラームに少なくとも部分的に基づいてネットワークと同期するようにプロセッサによって実行可能な命令を記憶する非一時的なコンピュータ可読媒体を含む。
【０００９】
[0009]  方法、装置、および／またはコンピュータプログラム製品の様々な実施形態は、信頼性アラームを信頼性アラームのために割り当てられたリソース上で送信するという特徴、手段、および／またはそのためのプロセッサ実行可能命令を含み得る。いくつかの場合において、ネットワークと同期することは、同期リソース上で同期信号を受信することであって、同期リソースが信頼性アラームに少なくとも部分的に基づいて利用可能にされる、受信することと、同時信号に少なくとも部分的に基づいてネットワークと同期することと、を含む。信頼性アラームは、タイムオフセットおよびカウンタのうちの少なくとも１つを含むアナログ信号を含み得る。信頼性アラームを送信することは、モバイルデバイスが前記ネットワークと同期されていない間、ある数の同期期間にわたって信頼性アラームを送信することを含み得る。いくつかの場合において、信頼性アラームを送信することは、送信の確率（probability）に基づいて信頼性アラームを送信することを含む。
【００１０】
[0010]  方法、装置、および／またはコンピュータプログラム製品の様々な実施形態は、信頼性アラームがしきい値を超えると決定するという特徴、手段、および／またはそのためのプロセッサ実行可能命令を含み得る。信頼性アラームのために割り当てられたリソースは、デバイス間（Ｄ２Ｄ）リソースを含み得る。いくつかの場合において、同期リソースは、信頼性アラームのために予約されていないデバイス間（Ｄ２Ｄ）リソースのうちの少なくともいくつかを含む。
【００１１】
[0011]  説明される方法および装置の適用性のさらなる範囲は、以下の詳細な説明、特許請求の範囲、および図面から明らかになるであろう。詳細な説明の範囲および趣旨内の様々な変更および修正が当業者に明らかになるであろうことから、詳細な説明および具体例は、例示のみを目的として与えられる。
【図面の簡単な説明】
【００１２】
[0012]  本発明の本質および利点のさらなる理解は、以下の図面を参照することによって実現され得る。添付された図において、類似のコンポーネントまたは特徴は、同じ参照ラベルを有し得る。さらに、同じタイプの様々なコンポーネントは、参照ラベルに、類似のコンポーネントを区別するハイフンと第２のラベルとを後続させることによって、区別され得る。本明細書において第１の参照ラベルのみが使用される場合、その説明は、第２の参照ラベルに関係なく同じ第１の参照ラベルを有する同様のコンポーネントのいずれか１つに適用可能である。
【図１】[0013]  図１は、様々な実施形態による、ワイヤレス通信システムを示す。
【図２】[0014]  図２は、様々な実施形態による、例示的なワイヤレス通信システムの図を示す。
【図３】[0015]  図３は、様々な実施形態による、ワイヤレス通信システムにおけるデバイス間（Ｄ２Ｄ）同期の例を示すコールフロー図を示す。
【図４Ａ】[0016]  図４Ａは、様々な実施形態による、ワイヤレス通信システムで用いられ得る例示的なデバイスのブロック図を示す。
【図４Ｂ】図４Ｂは、様々な実施形態による、ワイヤレス通信システムで用いられ得る例示的なデバイスのブロック図を示す。
【図５】[0017]  図５は、様々な実施形態による、Ｄ２Ｄ同期のために構成されたモバイルデバイスのブロック図を示す。
【図６】[0018]  図６は、様々な実施形態による、Ｄ２Ｄ同期のために構成され得る通信システムのブロック図を示す。
【図７】[0019]  図７および８は、様々な実施形態による、Ｄ２Ｄ同期の方法（単数または複数）を図示するフロー図である。
【図８】図７および８は、様々な実施形態による、Ｄ２Ｄ同期の方法（単数または複数）を図示するフロー図である。
【詳細な説明】
【００１３】
[0020]  ワイヤレス通信システムにおけるデバイス間同期が説明される。モバイルデバイス、および／またはモバイルデバイスのクラスタが、ネットワーク同期信号から分離した状態になる場合、信頼できるタイミング信号の存在に気付くために、カタリスト（catalyst）がモバイルデバイスに必要とされ得る。信頼性アラームのために割り当てられた特定のリソース上で信頼性アラームを使用することによって、モバイルデバイスは、たとえ、それのＤ２Ｄリソースの残りが他のモバイルデバイスとの通信によって占有されても、信頼できるタイミング信号がいつ存在したかを検出することができる。信頼性アラームが検出されると、モバイルデバイスは、リソース上での同期信号の受信を可能にするためにＤ２Ｄリソースをフリーにし得る。モバイルデバイスは、それが同期される前に、および／またはそれが同期しようとしている時に、送信の確率に従って、ある特定の数の同期期間にわたってそれ自体の信頼性アラームを送信し始め得る。モバイルデバイスがフリーにされたリソース上で同期信号を受信することができる場合、それは、ネットワークと同期するために信号を使用し得る。いったんモバイルデバイスがネットワークと同期されると、それは、他の分離された（isolated）または信頼性に欠ける（unreliable）モバイルデバイスが検出することができるように依然として同期されたままでありながら、割り当てられたリソースの間に信頼性アラームを送信し得る。
【００１４】
[0021]  よって、以下の説明は例を提供するものであり、特許請求の範囲において記載される範囲、適用性、または構成を限定するものではない。本開示の趣旨および範囲から逸脱することなく、記載される要素の機能および配置において変更がなされ得る。様々な実施形態は、適宜、様々な手順またはコンポーネントを省略、代用、あるいは追加し得る。例えば、説明される方法は、説明されるものとは異なる順序で実行され、様々なステップが追加、省略、または組み合わせられ得る。また、ある特定の実施形態に関して説明される特徴は、他の実施形態で組み合され得る。
【００１５】
[0022]  図１は、本開示の様々な態様による、ワイヤレス通信システム１００の例を示す図である。ワイヤレス通信システム１００は、複数の基地局１０５（例えば、発展型ノードＢ（ｅＮＢ）、ワイヤレスローカルエリアネットワーク（ＷＬＡＮ）アクセスポイント、または他のアクセスポイント）、多数のモバイルデバイス１１５、およびコアネットワーク１３０を含む。基地局１０５のいくつかは、基地局コントローラ（図示せず）の制御下でモバイルデバイス１１５と通信し、基地局コントローラは、様々な例において、基地局１０５のうちのある特定の１つまたはコアネットワーク１３０の一部であり得る。基地局１０５のいくつかは、バックホール１３２を通してコアネットワーク１３０と制御情報および／またはユーザデータを通信し得る。いくつかの例において、基地局１０５のいくつかは、直接的または間接的のいずれかで、ワイヤードまたはワイヤレス通信リンクであり得るバックホールリンク１３４上で互いに通信し得る。ワイヤレス通信システム１００は、複数のキャリア（異なる周波数の波形信号）上の動作をサポートし得る。マルチキャリア送信機は、変調された信号を複数のキャリア上で同時に送信することができる。例えば、各通信リンク１２５は、上述された様々な無線技術に従って変調されたマルチキャリア信号であり得る。各変調された信号は、異なるキャリア上で送られ、制御情報（例えば、パイロットシンボル、基準信号、制御チャネル、等）、オーバヘッド情報、データ、等を搬送し得る。システム１００は、ネットワークリソースを効率的に割り当てることができるマルチキャリアロングタームエボリューション（ＬＴＥ（登録商標））ネットワークであり得る。
【００１６】
[0023]  基地局１０５は、１つ以上の基地局アンテナを介してモバイルデバイス１１５とワイヤレスで通信し得る。基地局１０５の各々は、それぞれのカバレッジエリア１１０のための通信カバレッジを提供し得る。いくつかの例において、基地局１０５は、アクセスポイント、ベーストランシーバ局（ＢＴＳ）、無線基地局、無線トランシーバ、基本サービスセット（ＢＳＳ）、拡張サービスセット（ＥＳＳ）、ノードＢ、発展型ノードＢ（ｅＮＢ）、ホームノードＢ、ホームｅノードＢ、ＷＬＡＮアクセスポイント、ＷｉＦｉノードまたは何らかの他の適切な用語で称され得る。基地局１０５のためのカバレッジエリア１１０は、カバレッジエリア（図示せず）の一部のみを構成するセクタに分割され得る。ワイヤレス通信システム１００は、異なるタイプの基地局１０５（例えば、マクロ、マイクロ、および／またはピコ基地局）を含み得る。基地局１０５はまた、セルラおよび／またはＷＬＡＮ無線アクセス技術のような異なる無線技術を利用し得る。基地局１０５は、同じまたは異なるアクセスネットワークまたはオペレータ展開に関連付けられ得る。同じまたは異なるタイプの基地局１０５のカバレッジエリアを含み、同じまたは異なる無線技術を利用し、および／または同じまたは異なるアクセスネットワークに属する、異なる基地局１０５のカバレッジエリアは、重複し得る。
【００１７】
[0024]  コアネットワーク１３０は、バックホール１３２（例えば、Ｓ１アプリケーションプロトコル、等）を介して基地局１０５と通信し得る。基地局１０５はまた、例えば、バックホールリンク１３４（例えば、Ｘ２アプリケーションプロトコル、等）を介しておよび／またはバックホールリンク１３２を介して（例えば、コアネットワーク１３０を通して）、直接的または間接的に互いに通信し得る。ワイヤレス通信システム１００は、同期または非同期動作をサポートし得る。同期動作の場合、基地局は、同様のフレームおよび／またはゲートタイミングを有し、異なる基地局からの送信は、ほぼ時間的に揃えられ得る。非同期動作の場合、基地局は、異なるフレームおよび／またはゲートタイミングを有し、異なる基地局からの送信は、時間的に揃えられない可能性がある。本明細書で説明される技法は、同期または非同期動作のいずれかに使用され得る。
【００１８】
[0025]  モバイルデバイス１１５は、ワイヤレス通信システム１００全体に分散され、各モバイルデバイス１１５は、固定またはモバイルであり得る。モバイルデバイス１１５はまた、当業者によって、ユーザ機器（ＵＥ）、モバイル局、加入者局、モバイルユニット、加入者ユニット、ワイヤレスユニット、遠隔ユニット、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適切な用語で称され得る。モバイルデバイス１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、腕時計または眼鏡のようなウェアラブルアイテム、ワイヤレスローカルループ（ＷＬＬ）局、等であり得る。モバイルデバイス１１５は、マクロｅＮＢ、ピコｅＮＢ、フェムトｅＮＢ、リレー、等と通信することが可能であり得る。モバイルデバイス１１５はまた、ＷＬＡＮアクセスネットワーク、またはセルラあるいは他のワイヤレスワイドエリアネットワーク（ＷＷＡＮ）アクセスネットワークのような、異なるタイプのアクセスネットワーク上で通信することが可能であり得る。モバイルデバイス１１５とのいくつかの通信モードにおいて、通信は、複数の通信リンク１２５またはチャネル（すなわち、コンポーネントキャリア）上で行われ得、ここで、各チャネルまたはコンポーネントキャリアは、モバイルデバイスと多数のセル（例えば、サービングセルであり、それは、いくつかの場合において、異なる基地局１０５であり得る）のうちの１つとの間で確立される。
【００１９】
[0026]  ワイヤレス通信システム１００に示される通信リンク１２５は、アップリンク（ＵＬ）通信（例えば、モバイルデバイス１１５から基地局１０５への送信）を搬送するためのアップリンクチャネル（またはコンポーネントキャリア）および／またはダウンリンク（ＤＬ）通信（例えば、基地局１０５からモバイルデバイス１１５への送信）を搬送するためのダウンリンクチャネル（またはコンポーネントキャリア）を含み得る。ＵＬ通信または送信は、逆方向リンク通信または送信とも呼ばれ、その一方でＤＬ通信または送信は、順方向リンク通信または送信とも呼ばれ得る。
【００２０】
[0027]  本開示のある特定の例において、モバイルデバイス１１５は、コロケートされたデバイスのクラスタが残りのネットワークから分離されたときなどに、ネットワーク同期を実行し得る。モバイルデバイス１１５は、同期のためにとっておかれた（set aside for）リソース上で信号を検出することによって同期情報が利用可能であることを認識し得る。いくつかの場合において、リソースは、基地局１０５と同期されたモバイルデバイス１１５によって使用され、信頼性アラームを送信するために使用される。いくつかの実施形態において、モバイルデバイス１１５は、基地局１０５等を通して、ネットワークと同期されず、信頼性アラームを、同期された時に、他のモバイルデバイス１１５から受信し得る。信頼性アラームは、同期を可能にするために分離されたモバイルデバイス１１５によって同期手順をプロンプト（prompt）し得る。いったん同期されると、モバイルデバイス１１５は、その後、後続のモバイルデバイス１１５に信頼性アラームを送信し得る。
【００２１】
[0028]  図２は、本開示の様々な態様による、ワイヤレス通信システム２００の例を示す図である。ワイヤレス通信システム２００は、基地局１０５−ａおよび複数のモバイルデバイス１１５−ａおよび１１５−ｂを含む。基地局１０５−ａは、図１の基地局１０５の例であり得る。モバイルデバイス１１５−ａおよび／または１１５−ｂは、図１のモバイルデバイス１１５の例であり得る。
【００２２】
[0029]  システム２００は、基地局１０５−ａ等を通じて、ネットワークと同期されるモバイルデバイス１１５−ａを含み得る。いくつかの場合において、モバイルデバイス１１５−ａは、同期されたクラスタを形成する。同期されたクラスタ内で、１つのモバイルデバイス１１５−ａが、デバイス間（Ｄ２Ｄ）通信リンク２０５を通して同期情報を他のモバイルデバイス１１５−ｂに転送し得る。
【００２３】
[0030]  時には、モバイルデバイス１１５−ｂのクラスタは、分離されたクラスタとなり得る。クラスタが外部のタイミングソース（例えば、ワイドエリアネットワーク（ＷＡＮ）、全地球測位システム（ＧＰＳ））との接続を有しない、または失った場合、クラスタは分離した状態になり得る。高密度のワイヤレス通信環境など、いくつかの場合には、Ｄ２Ｄリソースは、クラスタのモバイルデバイス１１５−ｂ間の通信等のために、クラスタ内で十分に使用され得る。その結果、クラスタは、これら占有されたリソース上でネットワークの残りから更なる同期信号を受信することができなくなり、分離した状態になり得る。分離が原因で、モバイルデバイス１１５−ｂの分離されたクラスタのタイミングは、信頼性に欠けるものとなり、外部のタイミング基準に対するそれらの残りの時間および周波数オフセットをさらに分解する（resolve）ことができなくなり得る。さらに、利用可能なリソースが占有され得るので、分離されたクラスタ内での通信等では、クラスタは、信頼できるタイミングを備えた他のクラスタを認識するおよび／またはそれとマージ（merging）するのが困難であり得る。よって、たとえ信頼できるタイミング信号が分離されたクラスタに利用可能になるとしても、それは、信号が存在することを認識できず、依然として分離されたままであり得る。
【００２４】
[0031]  信頼性アラーム２１０のような信号を使用することによって、モバイルデバイス１１５−ｂの分離されたクラスタは、１つが利用可能となれば、信頼できる同期信号に気付き得る。信頼性アラーム２１０は、予約されたＤ２Ｄリソースのような予約されたリソースを使用して送信され得る。予約されたリソースを使用することで、分離されたモバイルデバイス１１５−ｂは、残りのＤ２Ｄリソースが、それのクラスタのモバイルデバイス１１５−ｂのような他のモバイルデバイス１１５−ｂと通信するために使い果たされたときでさえ、信頼アラーム２１０を受信し得る。
【００２５】
[0032]  それらの近くで信頼できるタイミングの存在を検出することができるモバイルデバイス１１５−ａは、信頼性アラーム２１０を送信、またはブロードキャストし得る。信頼性に欠けるモバイルデバイス１１５−ｂは、例えば、信頼性アラーム２１０を受信すると、リソースをフリーにし得、それは、同期のために使用され得る。リソースをフリーすることによって、信頼性に欠けるモバイルデバイス１１５−ｂは、最近フリーにされたリソースのような利用可能なリソース上で同期信号を受信し得、それは、モバイルデバイス１１５−ｂをネットワークおよび／または外部のタイミング基準と同期するために使用され得る。
【００２６】
[0033]  図３は、いくつかの実施形態による、Ｄ２Ｄ同期のために構成されたシステム内の通信を示すコールフロー図３００である。図３は、基地局１０５−ｂとモバイルデバイス１１５−ｃおよび１１５−ｄとの間の通信を示す。基地局１０５−ｂは、図１の基地局１０５の一例であり得る。モバイルデバイス１１５−ｃおよび１１５−ｄは、図１のモバイルデバイス１１５の一例であり得る。
【００２７】
[0034]  同期情報３０５は、基地局１０５−ｂからモバイルデバイス１１５−ｃおよび１１５−ｄに送信され得る。同期情報３０５は、ＷＬＡＮまたはＧＰＳネットワークのようなネットワークに関するタイミング情報を含み得る。モバイルデバイス１１５−ｄは、モバイルデバイス１１５−ｄをネットワークおよび／または同期情報から分離した状態にさせる、分離イベント３１０を経験（undergo）し得る。分離イベント３１０は、基地局１０５−ｂから同期情報３０５を、および／または信頼できるタイミングを有すると考えられるモバイルデバイス１１５−ｃから同期情報を、もはや受信することができないロケーションに、モバイルデバイス１１５−ｄが移動することによって発生し得る。いくつかの場合において、モバイルデバイス１１５−ｄは、基地局１０５−ｂのようなネットワークから同期情報を受信することができないことが原因で、および、他のモバイルデバイス１１５との通信のために使用されるなど、すべてのＤ２Ｄリソースが使用されるので、別のモバイルデバイス１１５−ｃから同期情報を受信することができないことが原因で、分離イベント３１０が発生する。モバイルデバイス１１５−ｄがネットワークからの同期信号から分離されることをもたらす他のイベントが発生し得るが、簡潔のために詳細には説明しない。
【００２８】
[0035]  モバイルデバイス１１５−ｃは、同期情報３０５を基地局１０５−ｂから受信し続けること等によって、ネットワークと同期されたままであり得る。モバイルデバイス１１５−ｃは、依然としてネットワークと同期されているので、信頼性アラーム３１５を送信し得る。分離されたモバイルデバイス１１５−ｄが同期されたモバイルデバイス１１５−ｃのＤ２Ｄ通信の範囲内にある場合、それは、信頼性アラーム３１５を受信し得る。信頼性アラーム３１５は、信頼性アラーム３１５のために予約されたリソース上で送信および／または受信され得る。いくつかの場合において、信頼性アラーム３１５は、アナログ信号であり、それは、エネルギーベースの検出を可能にし得る。信頼性アラーム３１５は、タイムオフセット、少なくとも１つのカウンタ、および／または同期に関する他の情報を含み得る。いくつかの実施形態において、信頼性アラーム３１５は、ＯＦＤＭシステムにおける１つのシンボルのような、単一のブロック上で送信され、Ｄ２Ｄ同期リソース内にあり得る。
【００２９】
[0036]  いくつかの場合において、分離されたモバイルデバイス１１５−ｄは、信頼性アラーム３１５の信号強度としきい値を比較し得る。信頼性アラーム３１５がしきい値を超える場合、分離されたモバイルデバイス１１５−ｄは、モバイルデバイス１１５−ｃからの他の信号および／または信頼性アラーム３１５を分析し続け得る。信頼性アラーム３１５がしきい値を超えない場合、分離されたモバイルデバイス１１５−ｄは、信頼性アラーム３１５を処理せず、しきい値を超える信頼性アラーム３１５が受信されるまで予約されたリソースを監視し続け得る。
【００３０】
[0037]  分離されたモバイルデバイス１１５−ｄは、同期信号がリソースの期間中に受信され得るように、リソースの期間中には信号を送信しないこと等によって、リソースをフリーにし得る３２０。いくつかの場合において、フリーにされたリソースは、Ｄ２Ｄリソースの全てまたはサブセットである。いくつかの場合において、分離されたモバイルデバイス１１５−ｄは、しきい値を超える信頼性アラーム３１５のような、別の信頼性アラーム３１５を受信すると、信頼性アラーム３１５−ａを送信し始め得る。分離されたモバイルデバイス１１５−ｄは、ある数の、例えばＴ個の、連続的な同期期間にわたって信頼性アラーム３１５−ａを送信し得、ここで、Ｔは、ゼロを超える。いくつかの場合において、分離されたモバイルデバイス１１５−ｄが依然として信頼性に欠けるタイミングを有する間、および／または同期されていない間、信頼性アラーム３１５−ａは、送信の確率に基づいて送信され得る。いくつかの実施形態において、モバイルデバイス１１５−ｄは、それが同期送信に参加するようにスケジュールされた場合、信頼性アラームを送信するのみである。
【００３１】
[0038]  分離されたモバイルデバイス１１５−ｄは、同期されたモバイルデバイス１１５−ｃからＤ２Ｄ同期情報３２５を受信し得る。Ｄ２Ｄ同期情報３２５は、フリーのリソース３２０を使用して受信され得る。Ｄ２Ｄ同期情報は、分離されたモバイルデバイス１１５−ｄが、基地局１０５−ｂ等を通じて、同期されたモバイルデバイス１１５−ｃおよび／またはネットワークと同期するのに役立ち得る、時間および／または周波数オフセットまたは任意の他の情報を含み得る。
【００３２】
[0039]  モバイルデバイス１１５−ｄは、基地局１０５−ｂ等を通じて、ネットワークおよび／または同期されたモバイルデバイス１１５−ｃと同期し得る３３０。いくつかの場合において、受信されたＤ２Ｄ同期情報３２５は、モバイルデバイス１１５−ｄを同期するために使用される３３０。
【００３３】
[0040]  モバイルデバイス１１５−ｄは、信頼性アラーム３１５を送信し得る。信頼性アラーム３１５は、信頼できるタイミングを備えたモバイルデバイス１１５−ｄに気付くために後続のモバイルデバイス１１５によって受信され得る、および／または後続のモバイルデバイス１１５のために使用され得る。
【００３４】
[0041]  図４Ａは、様々な実施形態による、Ｄ２Ｄ同期のために構成されたデバイス４００を示すブロック図である。デバイス４００は、モバイルデバイス１１５−ｅであり得、それは、図１のモバイルデバイス１１５の一例であり得る。デバイス４００は、図１の基地局１０５の一例であり得る。いくつかの実施形態において、デバイス４００は、プロセッサである。デバイス４００は、受信機モジュール４０５、Ｄ２Ｄ同期モジュール４１５、および／または送信機モジュール４１０を含み得る。いくつかの場合において、受信機モジュール４０５および送信機モジュール４１０は、単一の、または複数のトランシーバモジュールである。受信機モジュール４０５および／または送信機モジュール４１０は、統合プロセッサを含み得、それらはまた、発振器および／またはタイマを含み得る。受信機モジュール４０５は、基地局１０５および／またはモバイルデバイス１１５から信号を受信し得る。受信機モジュール４０５は、同期情報３０５を受信すること、信頼性アラーム３１５を受信すること、および／またはＤ２Ｄ同期情報３２５を受信することを含む、図３において上述されたシステムおよびコールフローの動作、または動作の一部を実行し得る。送信機モジュール４１０は、信号を基地局１０５および／またはモバイルデバイス１１５に送信し得る。送信機モジュール４１０は、同期情報３０５を送信すること、信頼性アラーム３１５を送信すること、および／またはＤ２Ｄ同期情報３２５を送信することのような、図３において上述されたシステムおよびコールフローの動作、または動作の一部を実行し得る。
【００３５】
[0042]  デバイス４００は、Ｄ２Ｄ同期モジュール４１５を含み得る。Ｄ２Ｄ同期モジュール４１５は、統合プロセッサを含み得る。Ｄ２Ｄ同期モジュール４１５は、他のデバイスと同期し得る、および／またはそれが同期していることを他のデバイスに知らせる。Ｄ２Ｄ同期モジュール４１５は、同期されたデバイスから信頼性アラームを受信し得る、および／または分析し得る。Ｄ２Ｄ同期モジュール４１５は、分離イベントが発生したと決定し得る。さらに、Ｄ２Ｄ同期モジュール４１５は、同期情報を受信する等のために、リソースをフリーにし得る。Ｄ２Ｄ同期モジュール４１５は、Ｄ２Ｄ同期情報のような、同期情報を分析し得る、および／またはそれと同期し得る。Ｄ２Ｄ同期モジュール４１５は、送信されるべき信頼性アラームを準備（prepare）し得る。Ｄ２Ｄ同期モジュール４１５は、データベースを含み得る。データベースは、基地局１０５、モバイルデバイス１１５、チャネル条件、しきい値、および／または同期情報に関する情報を記憶し得る。
【００３６】
[0043]  例として、デバイス４００は、受信機モジュール４０５、Ｄ２Ｄ同期モジュール４１５、および送信機モジュール４１０を通じて、同期情報３０５および／またはＤ２Ｄ同期情報３２５を送信および／または受信すること、同期情報３０５および／またはＤ２Ｄ同期情報３２５等を用いて、分離イベント３１０を決定および／または認識すること、信頼性アラーム３１５を送信および／または受信すること、リソースをフリーにすること３２０、および／または同期すること３３０を含む、図３に関連して上述されたシステムおよびコールフロー、および／または図２に関連して上述されたシステムの動作、または動作の一部を実行し得る。
【００３７】
[0044]  図４Ｂは、様々な実施形態による、Ｄ２Ｄ同期のために構成されたデバイス４００−ａのブロック図を示す。デバイス４００−ａは、図４Ａのデバイス４００の一例であり得、デバイス４００−ａは、デバイス４００について上述されたのと同じまたは同様の機能を実行し得る。いくつかの実施形態において、デバイス４００−ａはモバイルデバイス１１５−ｆであり、それは、図１、２、３、および４Ａのうちのいずれかまたは全てに関連して上述されたモバイルデバイス１１５の１つ以上の態様を含み得る。いくつかの実施形態において、デバイス４００−ａは、図１、２、３、および４Ａのうちのいずれかまたは全てに関連して上述された基地局１０５の一例である。デバイス４００−ａはまた、プロセッサであり得る。いくつかの場合において、デバイス４００−ａは、図４Ａの受信機モジュール４０５の一例であり得る受信機モジュール４０５−ａを含み、受信機モジュール４０５−ａは、受信機モジュール４０５について上述されたのと同じまたは同様の機能を実行し得る。いくつかの場合において、デバイス４００−ａは、図４Ａの送信機モジュール４１０の一例であり得る送信機モジュール４１０−ａを含み、送信機モジュール４１０−ａは、送信機モジュール４１０について上述されたのと同じまたは同様の機能を実行し得る。
【００３８】
[0045]  いくつかの実施形態において、デバイス４００−ａは、図４ＡのＤ２Ｄ同期モジュール４１５の一例であり得るＤ２Ｄ同期モジュール４１５−ａを含む。Ｄ２Ｄ同期モジュール４１５−ａは、信頼性アラームモジュール４２０を含み得る。信頼性アラームモジュール４２０は、信頼性アラーム３１５を分析および／または準備すること、および／または分離イベント３１０を決定および／または認識することのような、図３に上述されたシステムおよびコールフローの動作、または動作の一部を実行し得る。
【００３９】
[0046]  いくつかの実施形態において、デバイス４００−ａは、同期モジュール４２５を含む。同期モジュール４２５は、同期情報３０５および／またはＤ２Ｄ同期情報３２５のような同期情報を分析および／または準備すること、リソースをフリーにすること３２０、および／または同期すること３３０のような、図３に上述されたシステムおよびコールフローの動作、または動作の一部を実行し得る。
【００４０】
[0047]  いくつかの実施形態よると、デバイス４００および／または４００−ａのコンポーネントは、個々にまたは集合的に、ハードウェアで適用可能な機能のうちのいくつかまたは全てを実行するように適合された少なくとも１つの特定用途向け集積回路（ＡＳＩＣ）を用いて実現され得る。他の実施形態において、デバイス４００および／または４００−ａの機能は、少なくとも１つの集積回路（ＩＣ）上で、少なくとも１つの処理ユニット（またはコア）によって実行される。他の実施形態において、他のタイプの集積回路（例えば、構造化（structured）／プラットフォームＡＳＩＣ、フィールドプログラマブルゲートアレイ（ＦＰＧＡ）、および他の半カスタムＩＣ）が使用され、これらは、当該技術分野において知られている任意のやり方でプログラムされ得る。各ユニットの機能はまた、全体的にまたは部分的に、メモリに組み込まれた命令により実現され、少なくとも１つの汎用または特定用途向けのプロセッサによって実行されるようにフォーマットされ得る。
【００４１】
[0048]  図５は、様々な実施形態による、Ｄ２Ｄ同期のために構成されたモバイルデバイス１１５−ｇのブロック図５００である。モバイルデバイス１１５−ｇは、パーソナルコンピュータ（例えば、ラップトップコンピュータ、ネットブックコンピュータ、タブレットコンピュータ、等）、セルラ電話、ＰＤＡ、スマートフォン、デジタルビデオレコーダ（ＤＶＲ）、インターネット家電、ゲーム機、ｅ−リーダー、等のような、様々な形態（configuration）のうちのいずれかを有し得る。モバイルデバイス１１５−ｇは、モバイル動作を容易にするために、小型バッテリのような内部電源（図示せず）を有し得る。いくつかの実施形態において、モバイルデバイス１１５−ｇは、図１、２、３、４Ａおよび／または４Ｂのモバイルデバイス１１５の一例であり得る。
【００４２】
[0049]  モバイルデバイス１１５−ｇは、一般的に、通信を送信するためのコンポーネントおよび通信を受信するためのコンポーネントを含むデータ通信および双方向音声のためのコンポーネントを含み得る。モバイルデバイス１１５−ｇは、プロセッサモジュール５７０、メモリ５８０、送信機／変調器５１０、受信機／復調器５１５、および１つ以上のアンテナ（単数または複数）５３５を含み得、それらは、それぞれ（例えば、少なくとも１つのバス５７５を介して）互いに直接的または間接的に通信し得る。モバイルデバイス１１５−ｇは、送信機／変調器モジュール５１０および受信機／復調器モジュール５１５を介して複数のワイヤレス送信を同時に送信および／または受信することができる多重アンテナ５３５を含み得る。例えば、モバイルデバイス１１５−ｇは、Ｘ個のアンテナ５３５、Ｍ個の送信機／変調器モジュール５１０、およびＲ個の受信機／復調器５１５を有し得る。送信機／変調器モジュール５１０は、信号をアンテナ５３５のうちの少なくとも１つを介して基地局１０５および／または他のモバイルデバイス１１５に送信するように構成され得る。送信機／変調器モジュール５１０は、パケットを変調し、変調されたパケットを送信のためにアンテナ５３５に提供するように構成されたモデムを含み得る。受信機／復調器５１５は、アンテナ５３５のうちの少なくとも１つから受信されたパケットを受信し、ＲＦ処理を実行し、復調するように構成され得る。いくつかの例において、モバイルデバイス１１５−ｇは、アンテナ５３５毎に１つの受信機／復調器５１５を有し得（すなわち、Ｒ＝Ｘ）、その一方で他の例では、ＲはＸより小さいまたは大きくあり得る。送信機／変調器５１０および受信機／復調器５１５は、複数のＭＩＭＯレイヤおよび／またはコンポーネントキャリアを介して複数の基地局１０５および／またはモバイルデバイス１１５と同時に通信することが可能であり得る。
【００４３】
[0050]  図５のアーキテクチャによれば、モバイルデバイス１１５−ｇはまた、Ｄ２Ｄ同期モジュール４１５−ｂを含み得る。例として、Ｄ２Ｄ同期モジュール４１５−ｂは、バス５７５を介してモバイルデバイス１１５−ｇの他のコンポーネントのいくつかまたは全てと通信状態にあるモバイルデバイス１１５−ｇのコンポーネントであり得る。あるいは、Ｄ２Ｄ同期モジュール４１５−ｂの機能は、送信機／変調器５１０、受信機／復調器５１５のコンポーネントとして、コンピュータプログラム製品として、および／またはプロセッサモジュール５７０の少なくとも１つのコントローラ要素として実現され得る。
【００４４】
[0051]  メモリ５８０は、ランダムアクセスメモリ（ＲＡＭ）および読取専用メモリ（ＲＯＭ）を含み得る。メモリ５８０は、実行されると、プロセッサモジュール５７０に、本明細書で説明された様々な機能を実行させる（例えば、分離イベントを決定する、信頼性アラームを分析する、同期情報を分析する、リソースをフリーにする、同期する、等）ように構成された命令を含む、コンピュータ可読、コンピュータ実行可能なソフトウェア／ファームウェアコード５８５を記憶し得る。あるいは、ソフトウェア／ファームウェアコード５８５は、プロセッサモジュール５７０によって直接的に実行可能でない場合があるが、（例えば、コンパイルおよび実行されると）コンピュータに、本明細書で説明された機能を実行させるように構成され得る。
【００４５】
[0052]  プロセッサモジュール５７０は、例えば、中央処理ユニット（ＣＰＵ）、マイクロコントローラ、特定用途向け集積回路（ＡＳＩＣ）、等のようなインテリジェントハードウェアデバイスを含み得る。モバイルデバイス１１５−ａは、マイクロフォンを介してオーディオを受信すること、オーディオを受信されたオーディオを表わすパケット（例えば、長さ２０ｍｓ、長さ３０ｍｓ、等）に変換すること、オーディオパケットを送信機／変調器モジュール５１０に提供すること、およびユーザが話しているかどうかのインジケーションを提供することを行うように構成されたスピーチエンコーダ（図示せず）を含み得る。
【００４６】
[0053]  モバイルデバイス１１５−ｇは、図１、２、３、４Ａ、および／または４Ｂのモバイルデバイス１１５に関して上述された態様を実現するように構成され得、ここでは簡潔のために繰り返さない。よって、Ｄ２Ｄ同期モジュール４１５−ｂは、図４ＡのＤ２Ｄ同期モジュール４１５および／または図４ＢのＤ２Ｄ同期モジュール４１５−ａに関連して上述されたモジュールおよび機能を含み得る。さらに、あるいはその代わりに、Ｄ２Ｄ同期モジュール４１５−ｂは、図７に関連して説明される方法７００および／または図８に関連して説明される方法８００を実行し得る。
【００４７】
[0054]  図６は、様々な実施形態による、Ｄ２Ｄ同期のために構成され得る通信システム６００のブロック図を示す。このシステム６００は、図１、図２、または図３に図示されたシステム１００、２００、または３００の態様の一例であり得る。システム６００は、ワイヤレス通信リンク１２５上でモバイルデバイス１１５と通信するために構成された基地局１０５−ｃを含む。基地局１０５−ｃは、１つ以上のコンポーネントキャリア上で通信することが可能であり得、通信リンク１２５のための複数のコンポーネントキャリアを使用するキャリアアグリゲーションを実行することが可能であり得る。基地局１０５−ｃは、例えば、システム１００、２００、または３００で示されるような基地局１０５、またはデバイス４００または４００−ａであり得る。
【００４８】
[0055]  いくつかの場合において、基地局１０５−ｃは、１つ以上のワイヤードバックホールリンクを有し得る。基地局１０５−ｃは、例えば、コアネットワーク１３０−ａへのワイヤードバックホールリンク（例えば、Ｓ１インターフェース、等）を有するＬＴＥ ｅＮＢ１０５であり得る。基地局１０５−ｃはまた、基地局間通信リンク（例えば、Ｘ２インターフェース、等）を介して、基地局１０５−ｄおよび基地局１０５−ｅのような、他の基地局１０５と通信し得る。基地局１０５の各々は、同じまたは異なるワイヤレス通信技術を使用してモバイルデバイス１１５と通信し得る。いくつかの場合において、基地局１０５−ｃは、基地局通信モジュール６１５を利用して１０５−ｄおよび／または１０５−ｅのような他の基地局と通信し得る。いくつかの実施形態において、基地局通信モジュール６１５は、いくつかの基地局１０５間の通信を提供するために、ＬＴＥ／ＬＴＥ−Ａワイヤレス通信ネットワーク技術内のＸ２インターフェースを提供し得る。いくつかの実施形態において、基地局１０５−ｃは、コアネットワーク１３０−ａを通して他の基地局と通信し得る。いくつかの場合において、基地局１０５−ｃは、ネットワーク通信モジュール６６５を通してコアネットワーク１３０−ａと通信し得る。
【００４９】
[0056]  基地局１０５−ｃのためのコンポーネントは、図１、２、３、４Ａ、および／または４Ｂの基地局１０５に関して上述された態様を実現するように構成され得、ここでは簡潔のために繰り返さない。例えば、基地局１０５−ｃは、図４のＤ２Ｄ同期モジュール４１５の一例であり得る、Ｄ２Ｄ同期モジュール４１５−ｃを含み得る。
【００５０】
[0057]  基地局１０５−ｃは、アンテナ６４５、トランシーバモジュール６５０、メモリ６７０、およびプロセッサモジュール６６０を含み得、それらは、それぞれ、（例えば、バスシステム６８０を介して）直接あるいは間接的に、互いに通信し得る。トランシーバモジュール６５０は、アンテナ６４５を介して、マルチモードデバイスであり得るモバイルデバイス１１５と双方向で通信するように構成され得る。トランシーバモジュール６５０（および／または基地局１０５−ｃの他のコンポーネント）はまた、アンテナ６４５を介して、他の基地局（図示せず）と双方向で通信するように構成され得る。トランシーバモジュール６５０は、パケットを変調し、変調されたパケットを送信のためにアンテナ６４５に提供し、アンテナ６４５から受信されたパケットを復調するように構成されたモデムを含み得る。基地局１０５−ｃは、それぞれ少なくとも１つの関連アンテナ６４５を備えた、多重トランシーバモジュール６５０を含み得る。
【００５１】
[0058]  メモリ６７０は、ランダムアクセスメモリ（ＲＡＭ）および読取専用メモリ（ＲＯＭ）を含み得る。メモリ６７０はまた、実行されると、プロセッサモジュール６６０に、本明細書で説明された様々な機能を実行させる（例えば、分離イベントを決定する、信頼性アラームを送信する、同期情報を送信する、等）ように構成された命令を含む、コンピュータ読取可能、コンピュータ実行可能なソフトウェアコード６７５を記憶し得る。
あるいは、ソフトウェア６７５は、プロセッサモジュール６６０によって直接的に実行可能でない場合があるが、例えば、コンパイルおよび実行されると、コンピュータに、本明細書で説明された機能を実行させるように構成される。
【００５２】
[0059]  プロセッサモジュール６６０は、例えば、中央処理ユニット（ＣＰＵ）、マイクロコントローラ、特定用途向け集積回路（ＡＳＩＣ）、等のようなインテリジェントハードウェアデバイスを含み得る。プロセッサモジュール６６０は、エンコーダ、キュー処理モジュール、ベースバンドプロセッサ、無線装置コントローラ、デジタルシグナルプロセッサ（ＤＳＰ）、等のような、様々な特殊用途プロセッサを含み得る。
【００５３】
[0060]  図６のアーキテクチャによると、基地局１０５−ｃは、通信管理モジュール６４０をさらに含み得る。通信管理モジュール６４０は、他の基地局１０５との通信を管理し得る。通信管理モジュール６４０は、他の基地局１０５と連携してモバイルデバイス１１５との通信を制御するためのスケジューラおよび／またはコントローラを含み得る。例えば、通信管理モジュール６４０は、モバイルデバイス１１５への送信のスケジューリングまたはビームフォーミングおよび／またはジョイント送信（joint transmission）のような様々な干渉緩和技法を実行し得る。
【００５４】
[0061]  図７は、様々な実施形態による、Ｄ２Ｄ同期のための方法７００を示すフロー図である。方法７００は、例えば、図１、２、３、４Ａ、４Ｂ、５、および６のデバイス、システム、およびコールフロー１００、２００、３００、４００、４００−ａ、５００、および６００を使用して実現され得る。
【００５５】
[0062]  ブロック７０５において、モバイルデバイス１１５は、信頼性アラームを、信頼性アラームのために割り当てられたリソース上で受信し得る。例えば、ブロック７０５における動作は、図４ＡのＤ２Ｄ同期モジュール４１５、図４Ｂの信頼性アラームモジュール４２０、および／または図５のデバイス５００によって実行され得る。
【００５６】
[0063]  ブロック７１０において、モバイルデバイス１１５は、信頼性アラームに少なくとも部分的に基づいてネットワークと同期し得る。例えば、ブロック７１０における動作は、図４ＡのＤ２Ｄ同期モジュール４１５、図４Ｂの同期モジュール４２５、および／または図５のデバイス５００によって実行され得る。
【００５７】
[0064]  図８は、様々な実施形態による、Ｄ２Ｄ同期のための方法８００を示すフロー図である。方法８００は、例えば、図１、２、３、４Ａ、４Ｂ、５、および６のデバイス、システム、およびコールフロー（単数または複数）１００、２００、３００、４００、４００−ａ、５００、および６００を使用して実現され得る。
【００５８】
[0065]  ブロック８０５において、モバイルデバイス１１５は、信頼性アラームを、信頼性アラームのために割り当てられたリソース上で受信し得る。例えば、ブロック８０５における動作は、図４ＡのＤ２Ｄ同期モジュール４１５、図４Ｂの信頼性アラームモジュール４２０、および／または図５のデバイス５００によって実行され得る。
【００５９】
[0066]  ブロック８１０において、モバイルデバイス１１５は、信頼性アラームがしきい値を超えると決定し得る。例えば、ブロック８１０における動作は、図４ＡのＤ２Ｄ同期モジュール４１５、図４Ｂの信頼性アラームモジュール４２０、および／または図５のデバイス５００によって実行され得る。
【００６０】
[0067]  ブロック８１５において、モバイルデバイス１１５は、送信の確率に基づいて、モバイルデバイスがネットワークと同期されていない間、ある数の同期期間にわたって、信頼性アラームを信頼性アラームのために割り当てられたリソース上で送信し得る。例えば、ブロック８１５における動作は、図４ＡのＤ２Ｄ同期モジュール４１５、図４Ｂの信頼性アラームモジュール４２０、および／または図５のデバイス５００によって実行され得る。
【００６１】
[0068]  ブロック８２０において、モバイルデバイス１１５は、同期リソース上で同期信号を受信し得、ここにおいて、同期リソースは、信頼性アラームに少なくとも部分的に基づいて利用可能にされる。いくつかの場合において、ブロック８２０における動作は、図４ＡのＤ２Ｄ同期モジュール４１５、図４Ｂの同期モジュール４２５、および／または図５のデバイス５００によって実行され得る。
【００６２】
[0069]  ブロック８２５において、モバイルデバイス１１５は、同期信号に少なくとも部分的に基づいてネットワークと同期し得る。いくつかの場合において、ブロック８２５における動作は、図４ＡのＤ２Ｄ同期モジュール４１５、図４Ｂの同期モジュール４２５、および／または図５のデバイス５００によって実行され得る。
【００６３】
[0070]  ブロック８３０において、モバイルデバイス１１５は、信頼性アラームを信頼性アラームのために割り当てられたリソース上で送信し得る。いくつかの場合において、ブロック８３０における動作は、図４ＡのＤ２Ｄ同期モジュール４１５、図４Ｂの信頼性アラームモジュール４２０、および／または図５のデバイス５００によって実行され得る。
【００６４】
[0071]  方法７００および８００が本明細書で説明されたツールおよび技法の実現の例にすぎないことは当業者には明らかであろう。方法７００および８００は、再配置され得る、または別の方法で他の実現が可能となるように修正され得る。
【００６５】
[0072]  添付図面に関連して上述された詳細な説明は、例示的な実施形態を説明するものであり、実現され得る、または特許請求の範囲内にある実施形態のみを表すものではない。この説明全体を通して使用される「例示的」という用語は、「好ましい」または「他の実施形態よりも有利である」ということではなく、「例、実例、あるいは例示として役立つこと」を意味する。詳細な説明は、説明された技法の理解を提供する目的で、特定の詳細を含む。しかしながら、これらの技法は、これらの特定の詳細なしで実施され得る。いくつかの事例では、周知の構造およびデバイスは、説明された実施形態の概念を曖昧にすることを回避するためにブロック図形式で示される。
【００６６】
[0073]  情報および信号は、様々な異なる技術および技法のうちの任意のものを使用して表され得る。例えば、上記の説明の全体にわたって参照され得る、データ、命令、コマンド、情報、信号、ビット、シンボル、およびチップは、電圧、電流、電磁波、磁場あるいは磁粒子、光場あるいは光学粒子、またはそれら任意の組み合わせによって表され得る。
【００６７】
[0074]  本明細書で説明された技法は、ＣＤＭＡ、ＴＤＭＡ、ＦＤＭＡ、ＯＦＤＭＡ、ＳＣ−ＦＤＭＡ、および他のシステムのような様々なワイヤレス通信システムのために使用され得る。「システム」および「ネットワーク」という用語は、しばしば交換可能に使用される。ＣＤＭＡシステムは、ＣＤＭＡ２０００、ユニバーサル地上無線アクセス（ＵＴＲＡ）、等のような無線技術を実現し得る。ＣＤＭＡ２０００は、ＩＳ−２０００、ＩＳ−９５、およびＩＳ−８５６規格をカバーする。ＩＳ−２０００リリース０およびＡは、一般的に、ＣＤＭＡ２０００ 1Ｘ、1Ｘ、等と称される。ＩＳ−８５６（ＴＩＡ−８５６）は、一般的に、ＣＤＭＡ２０００ １ｘＥＶ−ＤＯ、高速パケットデータ（ＨＲＰＤ）、等と称される。ＵＴＲＡは、広帯域ＣＤＭＡ（ＷＣＤＭＡ（登録商標））およびＣＤＭＡの他の変形を含む。ＴＤＭＡシステムは、移動体通信のためのグローバルシステム（ＧＳＭ（登録商標））のような無線技術を実現し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ、等、のような無線技術を実現し得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの最新リリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と呼ばれる団体からの文書に説明されている。ＣＤＭＡ２０００およびＵＭＢは、「第３世代パートナーシッププロジェクト２」（３ＧＰＰ２）と呼ばれる団体からの文書に説明されている。本明細書で説明される技法は、上述されたシステムおよび無線技術のみならず、他のシステムおよび無線技術に使用され得る。しかしながら、上記の説明は、実例を目的としてＬＴＥシステムを説明しており、ＬＴＥ用語が上記の説明の大部分において使用されているが、この技法はＬＴＥ適用を超えて適用可能である。
【００６８】
[0075]  本明細書の開示に関連して説明された様々な例示的なブロックおよびモジュールは、汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラマブルロジックデバイス、離散ゲートまたはトランジスタロジック、離散ハードウェアコンポーネント、または本明細書で説明された機能を実行するように設計されたそれら任意の組み合わせで実現または実行され得る。汎用プロセッサは、マイクロプロセッサであり得るが、代替において、プロセッサは、任意の従来のプロセッサ、コントローラ、マイクロコントローラ、またはステートマシンであり得る。プロセッサはまた、コンピューティングデバイスの組み合わせ、例えば、ＤＳＰとマイクロプロセッサとの組み合わせ、複数のマイクロプロセッサ、ＤＳＰコアと連結した１つ以上のマイクロプロセッサ、または任意の他のそのような構成として実現され得る。
【００６９】
[0076]  本明細書で説明された機能は、ハードウェア、プロセッサによって実行されるソフトウェア、ファームウェア、またはそれら任意の組み合わせで実現され得る。プロセッサによって実行されるソフトウェアで実現される場合、機能は、コンピュータ可読媒体上で、１つ以上の命令またはコードとして記憶または送信され得る。他の例および実現は、本開示および特許請求の範囲の精神および範囲内にある。例えば、ソフトウェアの性質により、上述された機能は、プロセッサによって実行されるソフトウェア、ハードウェア、ファームウェア、ハードワイヤリング、またはこれらのいずれかの組み合わせを使用して実現されることができる。機能を実現する特徴はまた、様々な位置において物理的に配置され得、それは、機能の一部が異なる物理的な位置において実現されるように分配されることを含む。また、特許請求の範囲を含めて、本明細書で使用される場合、項目のリスト（例えば、「のうちの少なくとも１つ」または「のうちの１つ以上」のようなフレーズで始まる項目のリスト）中で使用される「または」は、例えば、「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するように離接的なリスト（disjunctive list）を示す。
【００７０】
[0077]  コンピュータ可読媒体は、１つの場所から別の場所へのコンピュータプログラムの転送を容易にする任意の媒体を含む、コンピュータ記憶媒体と通信媒体の両方を含む。記憶媒体は、汎用または専用コンピュータによってアクセスされることができる任意の利用可能な媒体であり得る。それに制限されない例として、コンピュータ可読媒体は、ＲＡＭ、ＲＯＭ、ＥＥＰＲＯＭ（登録商標）、ＣＤ−ＲＯＭまたは他の光学ディスク記憶装置、磁気ディスク記憶装置または他の磁気記憶デバイス、または、命令またはデータ構造の形態で所望のプログラムコード手段を搬送または記憶するように使用されることができ、汎用または特殊用途コンピュータ、あるいは汎用または特殊用途プロセッサによってアクセスされることができる、任意の他の媒体を備えることできる。また、任意の接続は、コンピュータ可読媒体と厳密には称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合には、同軸ケーブル、光ファイバーケーブル、ツイストペア、ＤＳＬ、または赤外線、無線、およびマイクロ波のようなワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイディスクを含み、ここでディスク（disks）は、通常データを磁気的に再生し、一方ディスク（discs）は、レーザーを用いてデータを光学的に再生する。上記の組み合わせもまた、コンピュータ可読媒体の範囲内に含まれる。
【００７１】
[0078]  本開示の先の説明は、当業者が本開示を製造または使用することを可能にするように提供される。本開示に対する様々な変更は、当業者に容易に理解され、本明細書で定義された一般的な原理は、本開示の精神または範囲から逸脱することなく他の変形に適用され得る。本開示を通して、「例」または「例示的」という用語は、例または実例を示すものであり、言及された例に対するいかなる選好を暗に示すものでも必要とするものでもない。よって、本開示は、本明細書で説明された例および設計に限定されるように意図されたものではなく、本明細書で開示された原理および新規な特徴と一致する最も広い範囲が付与されるべきである。
以下に、出願当初の特許請求の範囲に記載された発明を付記する。
［Ｃ１］
ワイヤレス同期のための方法であって、
モバイルデバイスにおいて、信頼性アラームを前記信頼性アラームのために割り当てられたリソース上で受信することと、
前記信頼性アラームに少なくとも部分的に基づいてネットワークと同期することと、
を備える、方法。
［Ｃ２］
前記ネットワークと同期することは、
同期リソース上で同期信号を受信することと、ここにおいて、前記同期リソースは、前記信頼性アラームに少なくとも部分的に基づいて利用可能にされる、
前記同期信号に少なくとも部分的に基づいて前記ネットワークと同期することと
を備える、上記Ｃ１に記載の方法。
［Ｃ３］
前記信頼性アラームは、タイムオフセットおよびカウンタのうちの少なくとも１つを備えるアナログ信号を備える、上記Ｃ１に記載の方法。
［Ｃ４］
信頼性アラームを前記信頼性アラームのために割り当てられた前記リソース上で送信することをさらに備える、上記Ｃ１に記載の方法。
［Ｃ５］
前記信頼性アラームを送信することは、
前記モバイルデバイスが前記ネットワークと同期されていない間、ある数の同期期間にわたって前記信頼性アラームを送信することを備える、
上記Ｃ４に記載の方法。
［Ｃ６］
前記信頼性アラームを送信することは、
送信の確率に基づいて前記信頼性アラームを送信することを備える、
上記Ｃ５に記載の方法。
［Ｃ７］
前記信頼性アラームがしきい値を超えると決定することをさらに備える、上記Ｃ１に記載の方法。
［Ｃ８］
前記信頼性アラームのために割り当てられた前記リソースは、デバイス間（Ｄ２Ｄ）リソースを備える、上記Ｃ１に記載の方法。
［Ｃ９］
前記同期リソースは、前記信頼性アラームのために予約されていない前記デバイス間（Ｄ２Ｄ）リソースのうちの少なくともいくらかを備える、上記Ｃ２に記載の方法。
［Ｃ１０］
ワイヤレス同期のためのデバイスであって、
モバイルデバイスにおいて、信頼性アラームを前記信頼性アラームのために割り当てられたリソース上で受信するための手段と、
前記信頼性アラームに少なくとも部分的に基づいてネットワークと同期するための手段と
を備える、デバイス。
［Ｃ１１］
前記ネットワークと同期するための前記手段は、
同期リソース上で同期信号を受信するための手段と、ここにおいて、前記同期リソースは、前記信頼性アラームに少なくとも部分的に基づいて利用可能にされる、
前記同期信号に少なくとも部分的に基づいて前記ネットワークと同期するための手段と
を備える、上記Ｃ１０に記載のデバイス。
［Ｃ１２］
前記信頼性アラームは、タイムオフセットおよびカウンタのうちの少なくとも１つを備えるアナログ信号を備える、上記Ｃ１０に記載のデバイス。
［Ｃ１３］
信頼性アラームを前記信頼性アラームのために割り当てられた前記リソース上で送信するための手段をさらに備える、上記Ｃ１０に記載のデバイス。
［Ｃ１４］
前記信頼性アラームを送信するための前記手段は、
前記モバイルデバイスが前記ネットワークと同期されていない間、ある数の同期期間にわたって前記信頼性アラームを送信するための手段を備える、
上記Ｃ１３に記載のデバイス。
［Ｃ１５］
前記信頼性アラームを送信するための前記手段は、
送信の確率に基づいて前記信頼性アラームを送信するための手段を備える、
上記Ｃ１４に記載のデバイス。
［Ｃ１６］
前記信頼性アラームがしきい値を超えると決定するための手段をさらに備える、上記Ｃ１０に記載のデバイス。
［Ｃ１７］
前記信頼性アラームのために割り当てられた前記リソースは、デバイス間（Ｄ２Ｄ）リソースを備える、上記Ｃ１０に記載のデバイス。
［Ｃ１８］
前記同期リソースは、前記信頼性アラームのために予約されていない前記デバイス間（Ｄ２Ｄ）リソースのうちの少なくともいくらかを備える、上記Ｃ１１に記載のデバイス。
［Ｃ１９］
ワイヤレス同期のためのデバイスであって、
プロセッサと、
前記プロセッサと電子通信状態にあるメモリと、
前記メモリに記憶された命令とを備え、前記命令は、
モバイルデバイスにおいて、信頼性アラームを前記信頼性アラームのために割り当てられたリソース上で受信することと、
前記信頼性アラームに少なくとも部分的に基づいてネットワークと同期することと、
を行うように前記プロセッサによって実行可能である、
デバイス。
［Ｃ２０］
前記ネットワークと同期することは、
同期リソース上で同期信号を受信することと、ここにおいて、前記同期リソースは、前記信頼性アラームに少なくとも部分的に基づいて利用可能にされる、
前記同期信号に少なくとも部分的に基づいて前記ネットワークと同期することと
を備える、上記Ｃ１９に記載のデバイス。
［Ｃ２１］
前記信頼性アラームは、タイムオフセットおよびカウンタのうちの少なくとも１つを備えるアナログ信号を備える、上記Ｃ１９に記載のデバイス。
［Ｃ２２］
前記命令は、
信頼性アラームを前記信頼性アラームのために割り当てられた前記リソース上で送信することを行うように前記プロセッサによってさらに実行可能である、
上記Ｃ１９に記載のデバイス。
［Ｃ２３］
前記信頼性アラームを送信することは、
前記モバイルデバイスが前記ネットワークと同期されていない間、ある数の同期期間にわたって前記信頼性アラームを送信することを備える、
上記Ｃ２２に記載のデバイス。
［Ｃ２４］
前記信頼性アラームを送信することは、
送信の確率に基づいて前記信頼性アラームを送信することを備える、
上記Ｃ２３に記載のデバイス。
［Ｃ２５］
前記命令は、
前記信頼性アラームがしきい値を超えると決定すること
を行うように前記プロセッサによってさらに実行可能である、上記Ｃ１９に記載のデバイス。
［Ｃ２６］
前記信頼性アラームのために割り当てられた前記リソースは、デバイス間（Ｄ２Ｄ）リソースを備える、上記Ｃ１９に記載のデバイス。
［Ｃ２７］
前記同期リソースは、前記信頼性アラームのために予約されていない前記デバイス間（Ｄ２Ｄ）リソースのうちの少なくともいくらかを備える、上記Ｃ２０に記載のデバイス。
［Ｃ２８］
非一時的なコンピュータ可読媒体であって、
モバイルデバイスにおいて、信頼性アラームを前記信頼性アラームのために割り当てられたリソース上で受信することと、
前記信頼性アラームに少なくとも部分的に基づいてネットワークと同期することと、
を行うようにプロセッサによって実行可能な命令を記憶した、非一時的なコンピュータ可読媒体。
［Ｃ２９］
前記ネットワークと同期することは、
同期リソース上で同期信号を受信することと、ここにおいて、前記同期リソースは、前記信頼性アラームに少なくとも部分的に基づいて利用可能にされる、
前記同期信号に少なくとも部分的に基づいて前記ネットワークと同期することと
を備える、
上記Ｃ２８に記載の非一時的なコンピュータ可読媒体。
［Ｃ３０］
前記命令は、
信頼性アラームを前記信頼性アラームのために割り当てられた前記リソース上で送信すること
を行うように前記プロセッサによってさらに実行可能である、上記Ｃ２８に記載の非一時的なコンピュータ可読媒体。
【図１】
0006615789.tif 000002
【図２】
0006615789.tif 000003
【図３】
0006615789.tif 000004
【図４Ａ】
0006615789.tif 000005
【図４Ｂ】
0006615789.tif 000006
【図５】
0006615789.tif 000007
【図６】
0006615789.tif 000008
【図７】
0006615789.tif 000009
【図８】
0006615789.tif 000010